(57)【特許請求の範囲】
【請求項１】
低温液化ガスに浸漬可能な照明装置であって、
ベース部と、
前記ベース部に設置された複数の光源ユニットとを備え、
前記光源ユニットは、
発光ダイオードからなる発光素子と、
給電により発熱するヒータと、
前記ヒータへの給電ラインに設置されると共に温度に応じて前記ヒータへの通電状態を変更するサーモスタットとを有する
ことを特徴とする照明装置。
【請求項２】
前記光源ユニットは、前記発光素子が実装される基板を備え、
前記ヒータは、前記発光素子が実装された側と反対側の面に設置されている
ことを特徴とする請求項１記載の照明装置。
【請求項３】
単一の前記基板に対して、複数の前記ヒータと、当該基板に設置された全ての前記ヒータへの通電状態を変更する単一の前記サーモスタットとが設置されていることを特徴とする請求項２記載の照明装置。
【請求項４】
複数の前記光源ユニットが、互いに空間を空けて配列されていることを特徴とする請求項１〜３いずれか一項に記載の照明装置。
【請求項５】
異なる前記光源ユニットが備える前記発光素子同士が直列接続されていることを特徴とする請求項１〜４いずれか一項に記載の照明装置。
【発明の詳細な説明】
【技術分野】
【０００１】
本発明は、照明装置に関するものである。
【背景技術】
【０００２】
例えば、特許文献１に示すように、ＬＮＧ（Liquefied Natural Gas）タンクの内部を観察するために、照明装置が搭載された観察装置が用いられている。この観察装置は、広いＬＮＧタンクの内部の全域を撮像可能とするために、複数の光源を備えている。また、このような観察装置は、通常、ＬＮＧタンクの天井に設けられた内径の小さなノズルを通じてＬＮＧタンクに入れられる。このため、装置の平面視形状が大型化することを抑止するため、複数の光源が鉛直方向に配列されている。
【先行技術文献】
【特許文献】
【０００３】
【特許文献１】特開平９−４３０３０号公報
【発明の概要】
【発明が解決しようとする課題】
【０００４】
近年、装置の軽量化等や省電力化のために、上述のような光源として、ＬＥＤ（発光ダイオード）からなる光源素子（ＬＥＤ光源）を用いることが提案されている。しかしながら、ＬＥＤ光源は、ＬＮＧの沸点以下の極低温（−１６２℃以下）では、半導体の特性上、流せる電流値が小さくなり、照度が確保できない。
【０００５】
このようなＬＥＤ光源の照度低下に対しては、ＬＥＤ光源が収容される容器の内部にヒータを設置し、ＬＥＤ光源を加温することが考えられる。しかしながら、ＬＮＧタンクの内部全体を観察可能とする光量を確保するためには、多くのＬＥＤ光源を設置する必要がある。このようなＬＥＤ光源を鉛直方向に多数配列した場合には、収容容器の鉛直方向に長くする必要があり、ヒータで加温した場合における収容容器の内部の温度ムラが大きくなる。この結果、全てのＬＥＤ光源を適した温度に加温することが難しくなる。
【０００６】
また、収容容器の内部の温度ムラにより、局所的に高温部分が生じると、当該部分において外部のＬＮＧの沸騰量が増加し、無駄にボイルオフガスを増加させる要因ともなる。このため、多数のＬＥＤ光源の各々を適した温度に加温することが求められている。
【０００７】
本発明は、上述する問題点に鑑みてなされたもので、発光ダイオードからなる発光素子を複数備えると共に低温液化ガスに浸漬される照明装置において、各々の発光素子を発光効率の高くなる温度に適切に加温可能とすることを目的とする。
【課題を解決するための手段】
【０００８】
本発明は、上記課題を解決するための手段として、以下の構成を採用する。
【０００９】
第１の発明は、低温液化ガスに浸漬可能な照明装置であって、ベース部と、上記ベース部に設置された複数の光源ユニットとを備え、上記光源ユニットが、発光ダイオードからなる発光素子と、給電により発熱するヒータと、上記ヒータへの給電ラインに設置されると共に温度に応じて上記ヒータへの通電状態を変更するサーモスタットとを有するという構成を採用する。
【００１０】
第２の発明は、上記第１の発明において、上記光源ユニットが、上記発光素子が実装される基板を備え、上記ヒータが、上記発光素子が実装された側と反対側の面に設置されているという構成を採用する。
【００１１】
第３の発明は、上記第２の発明において、単一の上記基板に対して、複数の上記ヒータと、当該基板に設置された全ての上記ヒータへの通電状態を変更する単一の上記サーモスタットとが設置されているという構成を採用する。
【００１２】
第４の発明は、上記第１〜第３いずれかの発明において、複数の上記光源ユニットが、互いに空間を空けて配列されているという構成を採用する。
【００１３】
第５の発明は、上記第１〜第４いずれかの発明において、異なる上記光源ユニットが備える上記発光素子同士が直列接続されているという構成を採用する。
【発明の効果】
【００１４】
本発明によれば、発光ダイオードからなる発光素子を備える光源ユニットを複数備え、光源ユニットごとにヒータ及びサーモスタットが設置されている。このため、光源ユニットごとに温度を制御することができ、温度ムラが生じることを防止することができると共に、各々の発光素子を発光効率の高くなる温度に適切に加温することが可能となる。
【図面の簡単な説明】
【００１５】
【図１】本発明の一実施形態における照明装置の概略構成を示す斜視図である。
【図２】本発明の一実施形態における照明装置が備える照明ユニットの側面図である。
【図３】本発明の一実施形態における照明装置が備える照明ユニットの縦断面図である。
【図４】（ａ）が本発明の一実施形態における照明装置が備える基板を含む拡大側面図であり、（ｂ）が（ａ）の矢印Ａ方向から見た正面図であり、（ｃ）が（ａ）の矢印Ｂ方向から見た背面図である。
【図５】本発明の一実施形態における照明装置が備える発光素子に対する実験結果を示すグラフである。
【図６】図３のＣ−Ｃ断面図である。
【図７】本発明の一実施形態における照明装置が備える照明ユニットにおける接続関係を模式的に示す配線図である。
【発明を実施するための形態】
【００１６】
以下、図面を参照して、本発明に係る照明装置の一実施形態について説明する。なお、以下の図面において、各部材を認識可能な大きさとするために、各部材の縮尺を適宜変更している。
【００１７】
図１は、本実施形態の照明装置１の概略構成を示す斜視図である。本実施形態の照明装置１は、ケーブルＫにより吊り下げ支持されており、このケーブルＫが巻取ドラムにより巻取あるいは送り出しされることにより昇降される。この図に示すように、本実施形態における照明装置１は、旋回ユニット２と、照明ユニット３とを備えている。
【００１８】
旋回ユニット２は、本実施形態における照明装置１の上部の部分を構成しており、胴部２ａと、回転軸部２ｂと、不図示の駆動機構とを備えている。胴部２ａは、不図示の駆動機構等を収容する略円筒形状の部材である。この胴部２ａは、ケーブルＫが接続される接続部２ａ１を上端部に有している。回転軸部２ｂは、胴部２ａの下端部から下方に突出するように設けられており、胴部２ａに対して旋回可能に接続されている。この回転軸部２ｂは、胴部２ａの内部に収容された駆動機構と接続されており、駆動機構によって胴部２ａに対して鉛直軸を中心に回動可能とされている。このような回転軸部２ｂの下端部は、照明ユニット３に固定されている。
【００１９】
照明ユニット３は、本実施形態における照明装置１の下部の部分を構成している。図２は、照明ユニット３の側面図である。また、図３は、照明ユニット３の縦断面図である。この図に示すように、照明ユニット３は、ベース部４と、コネクタ５と、胴部ユニット６（光源ユニット）と、胴部ケース７と、下端部ユニット８（光源ユニット）と、下端部ケース９とを備えている。
【００２０】
ベース部４は、胴部ユニット６、胴部ケース７、下端部ユニット８及び下端部ケース９を支持する部材であり、旋回ユニット２に接続される上部フランジ４ａと、下端部ユニット８が固定される下部フランジ４ｂとを備えている。このベース部４の上下方向における中央部には、胴部ユニット６が収容される２つ開口４ｃが形成されている。このようなベース部４は、胴部ユニット６と下端部ユニット８との過熱を防止するためのヒートシンクとしても機能する。コネクタ５は、ベース部４の上部フランジ４ａの平面視における中央に設けられており、上部フランジ４ａの上面から上方に突出している。このコネクタ５は、旋回ユニット２と接続され、旋回ユニット２と照明ユニット３とを電気的に接続する。
【００２１】
胴部ユニット６は、２つ設けられている。各々の胴部ユニット６は、ベース部４の開口４ｃを挿通するようにベース部４に対して固定されている。胴部ユニット６は、基板６ａと、発光素子６ｂと、レンズユニット６ｃと、ヒータ６ｄと、サーモスタット６ｅと、正面カバー６ｆと、背面カバー６ｇと、ガスケット６ｈとを備えている。
【００２２】
基板６ａは、発光素子６ｂ、レンズユニット６ｃ、ヒータ６ｄ及びサーモスタット６ｅが実装される板部材であり、ベース部４に固定されている。発光素子６ｂは、基板６ａの正面側の面に実装されている。この発光素子６ｂは、発光ダイオード（ＬＥＤ）からなり、不図示の配線を介して給電されることにより発光する。
【００２３】
図４（ａ）は、基板６ａを含む拡大側面図であり、図４（ｂ）は、図４（ａ）の矢印Ａ方向から見た正面図であり、図４（ｃ）は、図４（ａ）の矢印Ｂ方向から見た背面図である。図４（ｂ）に示すように、本実施形態においては、基板６ａに対して、４つの発光素子６ｂが実装されている。これらの発光素子６ｂは、基板６ａの中央を通る鉛直軸Ｌに沿って配列されており、下方に向かう順に鉛直軸Ｌを境にして左右交互に配置されている。  レンズユニット６ｃは、基板６ａに固定されており、発光素子６ｂを覆うように発光素子６ｂの正面に配置されている。このレンズユニット６ｃは、発光素子６ｂの各々に対して設けられている。つまり、図４（ｂ）に示すように、基板６ａに対して４つ実装されている。これらのレンズユニット６ｃは、発光素子６ｂから射出された光を正面側に向けて導光する。
【００２４】
ヒータ６ｄは、基板６ａの背面側の面に実装されている。このヒータ６ｄは、不図示の配線を介して給電されることにより発熱する。図４（ｃ）に示すように、本実施形態においては、基板６ａに対して、２つのヒータ６ｄが実装されている。これらのヒータ６ｄは、鉛直軸Ｌに沿って長い形状を有している。また、ヒータ６ｄは、鉛直軸Ｌに沿って配列されており、一方のヒータ６ｄが鉛直軸Ｌの一方側に配置され、他方のヒータ６ｄが鉛直軸Ｌの他方側に配置されている。
【００２５】
サーモスタット６ｅは、基板６ａの背面側の面に実装されている。このサーモスタット６ｅは、ヒータ６ｄの給電ラインに設置されており、給電ラインの通電状態を切り替えることにより、ヒータ６ｄへの通電状態を切り替える。なお、サーモスタット６ｅは、通電状態を、ヒータ６ｄに給電が行われる給電状態と、ヒータ６ｄに給電が行われない切断状態とに切り替える。
【００２６】
ここで、サーモスタット６ｅは、周囲の温度が発光素子６ｂの最も発光効率が高い温度に保たれるようにヒータ６ｄへの給電状態を切り替える。図５（ａ）は、本実施形態で用いられる発光素子６ｂの温度と照度との関係の一例を示すグラフである。また、図５（ｂ）は、本実施形態で用いられる発光素子６ｂの温度と消費電力との関係を示すグラフである。また、図５（ｃ）は、本実施形態で用いられる発光素子６ｂの消費電力と照度との関係を示すグラフである。なお、図５に示すグラフは、発光素子６ｂと熱電対が設置された板を液体窒素に浸漬し、極低温になった後に引き上げて常温に戻す実験によって得られたものである。また、図５（ｂ）及び図５（ｃ）において照度は、熱電対の温度が２０℃である場合の値で規格化している。図５（ａ）に示すように、本実施形態で用いられる発光素子６ｂは、０℃付近において最も照度が高くなることが分かった。また、図５（ｂ）に示すように、消費電力は温度の上昇に伴い増加する傾向が得られた。また、図５（ｃ）に示すように、消費電力が２５Ｗ付近にピークがあり、これは発光素子６ｂが０℃付近に相当する。このため、発光素子６ｂは、０℃付近において最も発光効率が高いことが分かった。このため、サーモスタット６ｅは、周囲の温度が０℃となるように通電状態の切替温度が設定されている。つまり、サーモスタット６ｅは、０℃よりも周囲温度が低い場合には、ヒータ６ｄへの通電状態を給電状態とし、０℃よりも周囲温度が高い場合には、ヒータ６ｄへの通電状態を切断状態とする。ただし、０℃を基準として通電状態を切り替えると、通電状態の切り替えが頻繁となる。このため、０℃から大きく温度が変位した場合に通電状態を切り替えるようにすることが好ましい。例えば、２０℃以上となった場合に通電状態を給電状態から切断状態に切り替え、−２０℃以下となった場合に通電状態を切断状態から給電状態に切り替えるようにすることが考えられる。
【００２７】
図３に戻り、正面カバー６ｆは、発光素子６ｂ及びレンズユニット６ｃごと基板６ａを正面側から覆う部材であり、ガスケット６ｈを介してベース部４に締結されている。このような正面カバー６ｆは、ガスケット６ｈと共に正面カバー６ｆの内部にＬＮＧ（低温液化ガス）等の外部液体が浸入することを防止している。また、正面カバー６ｆは、レンズユニット６ｃと対向する領域に、透明部材からなるビューポート６ｆ１を有している。つまり、正面カバー６ｆは、４つのビューポート６ｆ１を有している。このようなビューポート６ｆ１は、レンズユニット６ｃから射出される発光素子６ｂの光を遮ることなく通過させる。
【００２８】
背面カバー６ｇは、ヒータ６ｄ及びサーモスタット６ｅごと基板６ａを背面側から覆う部材であり、ガスケット６ｈを介してベース部４に締結されている。このような背面カバー６ｇは、ガスケット６ｈと共に背面カバー６ｇの内部に外部液体が浸入することを防止している。ガスケット６ｈは、上述のように、正面カバー６ｆとベース部４との間、及び、背面カバー６ｇとベース部４との間に介挿されており、正面カバー６ｆ及び背面カバー６ｇの内部への液体の浸入を防止している。
【００２９】
このような胴部ユニット６は、各々が、照射方向が水平方向となるように、レンズユニット６ｃの光軸を水平とした姿勢で支持されている。また、２つの胴部ユニット６は、空間Ｓを空けて鉛直方向に配列されている。このような空間Ｓにより、互いの胴部ユニット６からの熱量の伝達を抑止することができる。
【００３０】
胴部ケース７は、ベース部４に対して固定され、胴部ユニット６を覆うケースである。本実施形態においては、胴部ケース７として、胴部ユニット６の正面側を覆う正面側ケース７ａと、胴部ユニット６の背面側を覆う背面側ケース７ｂとが設置されている。これらの胴部ケース７は、胴部ユニット６を保護している。
【００３１】
下端部ユニット８は、図３に示すように、基板８ａと、発光素子８ｂと、レンズユニット８ｃと、ヒータ８ｄと、サーモスタット８ｅと、下面カバー８ｆと、ステー８ｇと、上面プレート８ｈと、ガスケット８ｉとを備えている。
【００３２】
基板８ａは、発光素子８ｂ、レンズユニット８ｃ、ヒータ８ｄ及びサーモスタット８ｅが実装される板部材であり、ステー８ｇを介して上面プレート８ｈに固定されている。発光素子８ｂは、基板８ａの下側の面に実装されている。この発光素子８ｂは、発光ダイオード（ＬＥＤ）からなり、不図示の配線を介して給電されることにより発光する。
【００３３】
図６は、図３のＣ−Ｃ断面図である。この図に示すように、本実施形態においては、基板８ａに対して、１つの発光素子８ｂが実装されている。レンズユニット６ｃは、図３に示すように、基板８ａに固定されており、発光素子８ｂを覆うように発光素子８ｂの下面に配置されている。このレンズユニット８ｃは、発光素子８ｂから射出された光を下面側に向けて導光する。
【００３４】
ヒータ８ｄは、基板８ａの上側の面に実装されている。このヒータ８ｄは、不図示の配線を介して給電されることにより発熱する。図６に示すように、本実施形態においては、基板８ａに対して、１つのヒータ８ｄが実装されている。サーモスタット８ｅは、基板８ａの上側の面に実装されている。このサーモスタット８ｅは、ヒータ８ｄの給電ラインに設置されており、給電ラインの通電状態を切り替えることにより、ヒータ８ｄへの通電状態を切り替える。なお、サーモスタット８ｅは、通電状態を、ヒータ８ｄに給電が行われる給電状態と、ヒータ８ｄに給電が行われない切断状態とに切り替える。なお、サーモスタット８ｅは、胴部ユニット６のサーモスタット６ｅと同様に、周囲の温度が発光素子８ｂの最も発光効率が高い温度に保たれるようにヒータ８ｄへの給電状態を切り替える。
【００３５】
下面カバー８ｆは、発光素子８ｂ及びレンズユニット８ｃごと基板８ａを下面側から覆う部材であり、ガスケット８ｉを介して下端部ケース９に締結されている。このような下面カバー８ｆは、ガスケット８ｉと共に下面カバー８ｆの内部にＬＮＧ等の外部液体が浸入することを防止している。また、下面カバー８ｆは、レンズユニット６ｃと対向する領域に、透明部材からなるビューポート８ｆ１を有している。このようなビューポート８ｆ１は、レンズユニット８ｃから射出される発光素子８ｂの光を遮ることなく通過させる。
【００３６】
ステー８ｇは、基板６ａと上面プレート８ｈとの接続する部材であり、図６に示すように、発光素子８ｂ及びレンズユニット８ｃを囲むように４つ設けられている。上面プレート８ｈは、略円板形状の部材であり、図３に示すようにベース部４の下部フランジ４ｂに締結される。ガスケット８ｉは、下面カバー８ｆを下端部ケース９との間に介挿されており、下端部ケース９の内部への液体の浸入を防止している。
【００３７】
このような下端部ユニット８は、上面プレート８ｈがベース部４の下部フランジ４ｂに締結されることにより、照射方向が鉛直方向下方となるように、レンズユニット８ｃの光軸を鉛直とした姿勢で支持されている。
【００３８】
下端部ケース９は、下端が開口端とされた略円筒形状とされており、ガスケット１０を介してベース部４の下部フランジ４ｂに締結されている。この下端部ケース９は、下端部ユニット８を水平方向から囲っており、下端部ユニット８を保護している。
【００３９】
このような照明ユニット３は、旋回ユニット２を介して外部電源と電気的に接続されており、胴部ユニット６の発光素子６ｂから射出された光により正面方向（水平方向）を照らし、下端部ユニット８の発光素子８ｂから射出された光により下方を照らす。
【００４０】
図７は、照明ユニット３における接続関係を模式的に示す配線図である。この図に示すように、本実施形態の照明装置１においては、外部電源Ｄに対して、全ての発光素子６ｂ及び発光素子８ｂが一本の給電ラインＬ１により直列接続されている。このように全ての発光素子６ｂ及び発光素子８ｂを一本の給電ラインＬ１で接続することによって、並列接続する場合と比較して給電ラインの数を削減することができる。このため、例えば、コネクタ５のピン数を削減することができる。
【００４１】
一方、ヒータ６ｄ及びヒータ８ｄは、胴部ユニット６及び下端部ユニット８ごとに、外部電源Ｄに対して並列接続されている。ここでは、一方の胴部ユニット６が備えるヒータ６ｄが分岐ラインＬ２を通じて外部電源Ｄと接続され、他方の胴部ユニット６が備えるヒータ６ｄが分岐ラインＬ３を通じて外部電源Ｄと接続され、下端部ユニット８が備えるヒータ８ｄが分岐ラインＬ４を通じて外部電源Ｄと接続されている。さらに、分岐ラインＬ２、分岐ラインＬ３及び分岐ラインＬ４の各々に対してサーモスタット（サーモスタット６ｅ及びサーモスタット８ｅ）が設置されている。ここでは、分岐ラインＬ２に一方の胴部ユニット６が備えるサーモスタット６ｅが設置され、分岐ラインＬ３に他方の胴部ユニット６が備えるサーモスタット６ｅが設置され、分岐ラインＬ４にサーモスタット８ｅが設置されている。このように、ヒータ及びサーモスタットを並列的に外部電源Ｄと接続することにより、ヒータ及びサーモスタットを、胴部ユニット６及び下端部ユニット８ごとに駆動することが可能となる。
【００４２】
このような構成の本実施形態の照明装置１は、ＬＮＧに浸漬可能とされており、ケーブルＫに沿って配設される配線を通じて外部より給電される。このような照明装置１の照明ユニット３を旋回させる場合には、旋回ユニット２の回転軸部２ｂが回転され、回転軸部２ｂに連結された照明ユニと３が旋回される。このように照明ユニット３を旋回させることにより、ＬＮＧタンク内の広範囲を照らすことができる。
【００４３】
ここで、本実施形態の照明装置１では、サーモスタット６ｅは、周囲の温度が発光素子６ｂの最も発光効率が高い温度に保たれるようにヒータ６ｄへの給電状態を切り替える。このため、発光素子６ｂが最も効率が高い状態で発光される。このような発光素子６ｂから射出された光は、正面方向を照らすことから、本実施形態の照明装置１によれば、常に正面方向を明るく照らすことが可能となる。さらに、本実施形態の照明装置１では、サーモスタット８ｅは、周囲の温度が発光素子８ｂの最も発光効率が高い温度に保たれるようにヒータ８ｄへの給電状態を切り替える。このため、発光素子８ｂが最も効率が高い状態で発光される。このような発光素子８ｂから射出された光は、下方を照らすことから、本実施形態の照明装置１によれば、常に下方を明るく照らすことが可能となる。
【００４４】
以上のような本実施形態の照明装置１によれば、発光ダイオードからなる発光素子（発光素子６ｂあるいは発光素子８ｂ）を備える光源ユニット（胴部ユニット６及び下端部ユニット８）を複数備え、胴部ユニット６及び下端部ユニット８ごとにヒータ（ヒータ６ｄあるいはヒータ８ｄ）及びサーモスタット（サーモスタット６ｅあるいはサーモスタット８ｅ）が設置されている。このため、胴部ユニット６及び下端部ユニット８ごとに温度に応じて通電状態を制御することができ、照明装置１の長手方向（すなわち鉛直方向）に温度ムラが生じることを防止することができると共に、各々の発光素子（発光素子６ｂ及び発光素子８ｂ）を発光効率の高くなる温度に適切に加温することが可能となる。
【００４５】
また、発光ダイオードは、照度が増加することによって発熱量も増加する。このため、発光素子６ｂ及び発光素子８ｂは、一旦ヒータ６ｄあるいはヒータ８ｄによって加温されると、照度を増すことにより発熱量も増し、自らの熱量によって周囲を暖める。このため、一旦ヒータ６ｄあるいはヒータ８ｄによって加温した後は、ヒータ６ｄ及びヒータ８ｄの発熱量を減らすことができ、極めて省電力で発光素子６ｂ及び発光素子８ｂに適した温度を維持することができる。
【００４６】
また、本実施形態の照明装置１においては、胴部ユニット６は、発光素子６ｂが実装される基板６ａを備えている。また、ヒータ６ｄが、基板６ａの発光素子６ｂが実装された側と反対側の面に設置されている。このため、ヒータ６ｄを発光素子６ｂに近接させることができ、発光素子６ｂの全体を効率良く加温することができる。さらに、下端部ユニット８は、発光素子８ｂが実装される基板８ａを備えている。また、ヒータ８ｄが、基板８ａの発光素子８ｂが実装された側と反対側の面に設置されている。このため、ヒータ８ｄを発光素子８ｂに近接させることができ、発光素子８ｂの全体を効率良く加温することができる。
【００４７】
また、本実施形態の照明装置１においては、胴部ユニット６で、単一の基板６ａに対して、複数のヒータ６ｄと、基板６ａに設置された全てのヒータ６ｄへの通電状態を変更する単一のサーモスタット６ｅとが設置されている。このため、１つの胴部ユニット６における全てのヒータ６ｄへの給電状態を１つのサーモスタット６ｅで実現することができ、胴部ユニット６の装置構成を簡略化することができる。
【００４８】
また、本実施形態の照明装置１においては、胴部ユニット６同士の間に空間Ｓが形成されている。このため、一方の胴部ユニット６の熱量が他方の胴部ユニット６に伝達されることを抑止することができ、各々の胴部ユニット６に設置される発光素子６ｂをより適切な温度に保つことができる。
【００４９】
また、本実施形態の照明装置１においては、２つの胴部ユニット６の発光素子６ｂと、下端部ユニット８の発光素子８ｂとの全てが直列接続されている。このため、配線の本数を減少させることができ、照明装置１の小型化及び軽量化を実現することができる。
【００５０】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００５１】
例えば、上記実施形態においては、基板６ａに対して、発光素子６ｂが実装される面と反対側の面にヒータ６ｄを設置する構成について説明した。しかしながら、本発明はこれに限定されるものではなく、ヒータ６ｄを発光素子６ｂが設置されるのと同じ側の面に設置する構成を採用することもできる。また、同様に、下端部ユニット８のヒータ８ｄを基板８ａの発光素子６ｂが実装される面に設置するようにしても良い。
【００５２】
また、上記実施形態においては、単一の基板６ａに対して、複数のヒータ６ｄと単一のサーモスタット６ｅとが設置される構成について説明した。しかしながら、本発明はこれに限定されるものではなく、単一の基板６ａに対してヒータ６ｄを１つのみ設置する構成、あるいは、単一の基板６ａに対してサーモスタット６ｅを複数設置する構成を採用することも可能である。
【００５３】
また、上記実施形態においては、胴部ユニット６同士の間に空間Ｓを設ける構成について説明した。しかしながら、本発明はこれに限定されるものではなく、胴部ユニット６同士の間に断熱材を設置する構成を採用することも可能である。
【００５４】
また、上記実施形態における照明装置１に対して、撮像ユニットを取り付け、観察装置とすることも可能である。つまり、本発明は、照明装置のみならず、照明装置の機能を有する観察装置に適用することも可能である。
【００５５】
また、上記実施形態における照明装置１において、胴部ケース７や下端部ユニット８の内部に温度センサを設置し、この温度センサにより発光素子６ｂや発光素子８ｂの周囲環境の温度を測定するようにしても良い。また、この温度センサの出力値を用いて、照明装置１の内部における温度が異常値を示した場合には、照明装置１を緊急停止する構成を採用することも可能である。
【符号の説明】
【００５６】
１  照明装置
２  旋回ユニット
２ａ  胴部
２ａ１  接続部
２ｂ  回転軸部
３  照明ユニット
４  ベース部
４ａ  上部フランジ
４ｂ  下部フランジ
４ｃ  開口
５  コネクタ
６  胴部ユニット
６ａ  基板
６ｂ  発光素子
６ｃ  レンズユニット
６ｄ  ヒータ
６ｅ  サーモスタット
６ｆ  正面カバー
６ｆ１  ビューポート
６ｇ  背面カバー
６ｈ  ガスケット
７  胴部ケース
７ａ  正面側ケース
７ｂ  背面側ケース
８  下端部ユニット
８ａ  基板
８ｂ  発光素子
８ｃ  レンズユニット
８ｄ  ヒータ
８ｅ  サーモスタット
８ｆ  下面カバー
８ｆ１  ビューポート
８ｇ  ステー
８ｈ  上面プレート
８ｉ  ガスケット
９  下端部ケース
１０  ガスケット
Ｄ  外部電源
Ｋ  ケーブル
Ｌ  鉛直軸
Ｌ１  給電ライン
Ｌ２  分岐ライン
Ｌ３  分岐ライン
Ｌ４  分岐ライン
Ｓ  空間
【図１】
0006584937.tif 000002
【図２】
0006584937.tif 000003
【図３】
0006584937.tif 000004
【図４】
0006584937.tif 000005
【図５】
0006584937.tif 000006
【図６】
0006584937.tif 000007
【図７】
0006584937.tif 000008